(57)【要約】【課題】ハンドルにワンタッチで被せて取付けることができるとともに、ハンドルを握った感触がソフトで、ハンドルの外周面に密着し、ガタ付やズレがなく安定しており、しかも１種類の材質で安価に製造できると共に、伸縮性があるので軽自動車から大型の乗用車、トラックまでハンドルの外径に拘らず数種類の製品で幅広く対応することができる自動車用ハンドルカバーを提供するものである。【解決手段】所定の長さに切断した、内外面にスキン層３を有するスポンジチューブ２の側面にチューブ長手方向に沿って１本のスリット４を形成すると共に、このスリット４を内周側に向けて円環状に曲げたチューブ両端部を一体に接着し、前記スリット４をハンドル挿入部５として、ここからハンドル７の外周に被せるようにしたものである。【選択図】  図４
0003173002.tif 000002
【実用新案登録請求の範囲】
【請求項１】
所定の長さに切断した、内外面にスキン層を有するスポンジチューブの側面にチューブ長手方向に沿って１本のスリットを形成すると共に、このスリットを内周側に向けて円環状に曲げたスポンジチューブの両端部を一体に接着し、前記スリットをハンドル挿入部として、ここからハンドルの外周に被せるようにしたことを特徴とする自動車用ハンドルカバー。
【請求項２】
スポンジチューブがエチレンプロピレンゴム、またはシリコーンゴムを主成分として発泡させた材料で形成されていることを特徴とする請求項１記載の自動車用ハンドルカバー。
【考案の詳細な説明】
【技術分野】
【０００１】
本考案は、自動車用ハンドルカバーに関するものである。
【背景技術】
【０００２】
自動車のハンドルを握った時に汗で滑らないようにすると共に、握った感触がソフトになるように車両用ハンドルの外周を覆うハンドルカバーとしては種々のものが開発されている。例えばカバー本体の一方の端側部に長尺方向に沿って形成された凸状或いは凹状の簡易ファスナ部材と、カバー本体の一方の端側部に長尺方向に沿って形成された凹状或いは凸状の簡易ファスナ部材とを備え、カバー本体は、幅方向の長さを車両ハンドルの外周長さより若干狭くして形成され、このカバー本体を車両用ハンドルの外周に巻き付けて簡易ファスナ部材同士を連結するハンドルカバーが開発されている（特許文献１）。
【０００３】
しかしながらこのハンドルカバーは車両用ハンドルの外周に巻き付けてからファスナ部材同士を連結して取付ける構造であり、構造が複雑で高価となり、しかもハンドルの外径に合わせて数種の製品を取り揃えておかなければならない問題がある。  
【０００４】
またファスナを用いず、ハンドルの外周に被せて簡単に取付けられる構造のものもある。これはカバー本体が、ゴム製の内カバー部材と、この内カバー部材の外周面側を覆う厚手の布製生地からなる中間カバー部材と、この中間カバー部材の外周面側を覆う合成樹脂シート材製の外カバー部材から構成され、内カバー部材の内周面には、滑り止め凸部が突設されていると共に、前記外カバー部材の外周面に光触媒層を積層したハンドルカバーも開発されている（特許文献２）。
【０００５】
この構造はハンドルの外周から嵌め込めばよいので取付けが簡単で、内カバー部材がゴム製で、内周面に滑り止め凸部が突設されているのでハンドルに被せて取付けた時に弾性復元力により、内周面がハンドルの外周面に密着し、ガタ付いたりあるいはズレ動くようなことなく安定している。
【０００６】
しかしながらこの構造も内カバー部材と、厚手の布製生地からなる中間カバー部材と、合成樹脂シート材製の外カバー部材の３層で、構造が複雑で高価となり、しかも中間カバー部材が厚手の布製生地で形成されているので伸縮できずハンドルの外径に合わせて数種の製品を取り揃えておかなければならない問題がある。
【先行技術文献】
【特許文献】
【０００７】
【特許文献１】特開平９−１８３３７７
【特許文献２】実用新案登録第３１３５７６５号
【考案の概要】
【考案が解決しようとする課題】
【０００８】
本考案は上記問題を改善し、ハンドルにワンタッチで被せて取付けることができると共に、弾力性があるのでハンドルを握った感触がソフトで、ハンドルの外周面に密着し、ガタ付きやズレがなく安定しており、しかも１種類の材質で安価に製造できると共に、伸縮性があるので１種類の製品で、異なる外径のハンドルに対応することができる自動車用ハンドルカバーを提供するものである。
【課題を解決するための手段】
【０００９】
本考案の請求項１記載の自動車用ハンドルカバーは、所定の長さに切断した、内外面にスキン層を有するスポンジチューブの側面にチューブ長手方向に沿って１本のスリットを形成すると共に、このスリットを内周側に向けて円環状に曲げたスポンジチューブの両端部を一体に接着し、前記スリットをハンドル挿入部として、ここからハンドルの外周に被せるようにしたことを特徴とするものである。
【００１０】
本考案の請求項２記載の自動車用ハンドルカバーは、請求項１において、スポンジチューブがエチレンプロピレンゴム、またはシリコーンゴムを主成分として発泡させた材料で形成されていることを特徴とするものである。
【考案の効果】
【００１１】
本考案に係る請求項１記載の自動車用ハンドルカバーによれば、発泡したスポンジチューブを円環状にして接着するだけで製造でき、ハンドル挿入部を手で広げて、この内側にハンドルを挿入して被せるだけでワンタッチで取付けることができる。更にスポンジチューブは、内部が発泡して伸縮性があるので、軽自動車から大型の乗用車、トラックのハンドルまで外径が異なっても、スポンジチューブの内径が広がってしっかりハンドルの表面に密着してズレず、１種類の製品で外径の異なるハンドルに対応することができる。
【００１２】
またスポンジチューブは、内部が発泡して弾力性があり、表面にスキン層が形成されているのでハンドルを握った感触がソフトで、手に汗をかいても滑らず、更に内部が発泡して断熱性に優れているので、冬期にハンドルが冷えても握った感触が冷たくない。
【００１３】
また請求項２記載の自動車用ハンドルカバーによれば、スポンジチューブがエチレンプロピレンゴム、またはシリコーンゴムを主成分としているので、伸縮性や弾力性、断熱性に優れている。
【考案を実施するための最良の形態】
【００１４】
以下本考案の実施の一形態を図１ないし図４を参照して詳細に説明する。図において１は自動車用ハンドルカバーを示すもので、２はスポンジチューブで、このスポンジチューブ２としては、例えばエチレンプロピレンゴムやシリコーンゴムを主成分として発泡させ、その内外面にスキン層３、３が形成されているチューブを用いる。このスポンジチューブ２は図２に示すようにその片側の側面にチューブ２の長手方向に沿って１本のスリット４を形成し、ここをハンドル挿入部５としている。このスリット４を形成したスポンジチューブ２をほぼハンドル７の外周の長さに切断して、図３に示すようにスリット４が内周側に位置するように円環状に曲げ、その両端部を接着剤８で一体に接着し、円環状の自動車用ハンドルカバー１を形成したものである。
【００１５】
上記構成の自動車用ハンドルカバー 1をハンドル７に取付ける場合、内側にスリット４で形成したハンドル挿入部５を手で広げて、この内側にハンドル７を挿入して被せるだけで伸びて図１および図４に示すようにワンタッチで取付けることができる。この自動車用ハンドルカバー１のスポンジチューブ２は、内部が発泡して伸縮性があるので、伸びてその内径が広がり、弛み部分がなくしっかりハンドル７の表面に密着してズレず、１種類の製品で外径の異なるハンドル７に対応することができる。例えばハンドル装着前の自動車用ハンドルカバー１の外径が２８ｃｍであるとすると、軽自動車から大型の乗用車、２トン以下のトラックのハンドル外径は３７〜４１ｃｍ程度の範囲であり、伸びてその内径が広がるので１種類の製品で幅広く対応することができる。また４トン以上のトラックのハンドル外径は４５〜５０ｃｍ程度の範囲であるが、ハンドル装着前の自動車用ハンドルカバー１の外径が３６ｃｍであるとすると、伸びてその内径が広がるので１種類の製品で広く対応することができる。つまり自動車用ハンドルカバー１の外径が２８ｃｍと３６ｃｍの２種類の製品を用意しておけば、軽自動車から大型のトラックまで全ての自動車のハンドルに装着することができる。
【００１６】
またスポンジチューブ２は、内部が発泡して弾力性があり、表面にスキン層３が形成されているのでハンドル７を握った感触がソフトで、手に汗をかいても滑らずにしっかりハンドル操作を行なうことができる。更に内部が発泡して断熱性に優れているので、冬期にハンドルが冷えても握った感触が冷たくない。更に自動車用ハンドルカバー１は、発泡したスポンジチューブ２を円環状にして接着するだけで製造できるので、複合したハンドルカバーに比べて製造が容易で安価である。
【００１７】
なお自動車用ハンドルカバー１は黒色や黄色、緑色など任意の色を選択することができ、また表面に模様を印刷しても良い。
【図面の簡単な説明】
【００１８】
【図１】本考案の実施の一形態による自動車用ハンドルにカバーを取付けた状態を示す平面図である。
【図２】図１の自動車用ハンドルカバーの断面図である。
【図３】自動車用ハンドルカバーの平面図である。
【図４】自動車用ハンドルにカバーを取付けた状態を示す断面図である。
【符号の説明】
【００１９】
１  自動車用ハンドルカバー                                  
２  スポンジチューブ                                        
３  スキン層                                                
４  スリット                                                
５  ハンドル挿入部                                          
７  ハンドル                                                
８  接着剤                                                            
【図１】
0003173002.tif 000003
【図２】
0003173002.tif 000004
【図３】
0003173002.tif 000005
【図４】
0003173002.tif 000006